(57)【要約】【解決手段】  固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備し、便座の外側に延伸したレバー部を操作することにより、簡便に便座の昇降を可能とする機能を具備する便座昇降レバーであって、前記固定窓のパラメーターである、Ｌ（固定用窓の長さ）、Ｒ（固定用窓両端の穿孔半径）、Ｗ（便座昇降レバーの幅）、Ｄ（便座昇降レバーの厚み）、及び、Ｎ（便座昇降レバーの全長）が、４５ミリメートル≦Ｌ≦５５ミリメートル、７ミリメートル≦Ｒ≦１４ミリメートル、２Ｒ＜Ｗ≦５０ミリメートル、１ミリメートル≦Ｄ≦４ミリメートル、及び、５０ミリメートル≦Ｎ≦２００ミリメートルであることを特徴とする便座昇降レバー。【効果】  便座昇降レバーを使用することにより、便座の昇降操作を衛生的かつ簡便にすることができる。【選択図】  図５
2010220725.tif 000002
【特許請求の範囲】
【請求項１】
ファスニングループ（Ｒ）を一つ有し、ファスニングループ（Ｒ）をメスとして、便座クッション固定根本（Ｎ１）をオスとして、メスをオスに締め付けることにより、便座裏面に強固に固定する機能を具備し、便座の外側に延伸したレバー部（Ｈ）を操作することにより、簡便に便座の昇降を可能とする機能を具備する便座昇降レバーであって、
前記ファスニングループ（Ｒ）を規定するパラメーターである、
Ｌ（ファスニングループの全長）、
Ｌ１（ファスニングループがファスニングをすることが可能な最大長）、
Ｌ０（便座クッションの外周長）、
Ｔ（ファスニングループの厚さ）、
Ｗ（ファスニングループの幅）、
Ｅ０（便座クッション締め付け時に相当するファスニングループの平均直径）、
が、
１２０ミリメートル≦Ｌ０≦１７０ミリメートル
１０ミリメートル≦Ｌ１−Ｌ０、
１０ミリメートル≦Ｌ−Ｌ１
Ｌ≦２５０ミリメートル、
５ミリメートル≦Ｗ≦１０ミリメートル、
１ミリメートル≦Ｗ≦５ミリメートル、
Ｅ０ ＝ Ｌ０ ÷ π、
で規定され、
前記便座レバー部（Ｈ）を規定するパラメーターである、
ＨＷ（レバー部の幅）、
ＨＴ（レバー部の厚み）、及び、
ＨＬ（レバー部の全長）
が、
２０ミリメートル≦ＨＷ≦１００ミリメートル、
１ミリメートル≦ＨＴ≦４ミリメートル、及び、
７０ミリメートル≦ＨＬ≦１２０ミリメートル
であることを特徴とする便座昇降レバー。
【発明の詳細な説明】
【技術分野】
【０００１】
本発明は、便座の裏面に取り付けることにより、便座の昇降操作を衛生的かつ簡便にすることができる便座昇降レバーに関する。
【背景技術】
【０００２】
従来の技術において、便座の昇降操作を衛生的かつ簡便にするための便座昇降レバーは、足踏み式等、機構が複雑であったり、取り付け方法が煩雑なものしかなかった。
【０００３】
従って、従来の技術においては、便座の昇降操作を衛生的かつ簡便にすることができる便座昇降レバーが存在しないのが現状である。
【０００４】
【特許文献１】特開２００１−０６１７０７号
【特許文献２】特開２０００−１７５８４５号
【特許文献３】特開２００３−２９９５９７号
【特許文献４】特開２００３−１６６２７８号
【発明の開示】
【発明が解決しようとする課題】
【０００５】
本出願に係る発明が解決しようとする課題は、便座の昇降操作を衛生的かつ簡便にすることができる便座昇降レバーを提供することである。
【０００６】
本発明者は、既に、特許第４２４７９２６号（発明の名称；便座昇降レバー、出願番号；特願２００８−１９９８９３号、出願日；平成２０年０８月０１日）において、本願発明と類似した発明を完成している。
特許第４２４７９２６号に開示されている発明は、発明の効果に優れたものである。
【０００７】
そして、洋式便器に取り付けられている便座の殆どのものについては、特許第４２４７９２６号に係る発明である便座昇降レバーを取り付けることが可能である。
然るに、洋式便器に取り付けられている便座のうち、低い頻度ではあるが、特に古いタイプのものと、極最近のタイプものの中には、特許第４２４７９２６号に係る発明である便座昇降レバーを取り付けることが困難な規格の便座クッションと便座クッション固定孔のものがある。
即ち、便座クッション固定孔の孔間距離と、便座クッションのゴム製筍状凸部距離が、広すぎたり、狭すぎたりして、特許第４２４７９２６号に係る発明である便座昇降レバーを取り付けることが困難となる。
【０００８】
このような背景から、本願発明が解決しようとする課題は、特許第４２４７９２６号に係る発明である便座昇降レバーを取り付けることが困難な規格の便座クッションと便座クッション固定孔を備えた便座のみならず、特許第４２４７９２６号に係る発明である便座昇降レバーを取り付けることが可能な規格の便座クッションと便座クッション固定孔を備えた便座についても、便座昇降レバーを取り付けることを可能とすることである。
【発明の効果】
【０００９】
［発明の効果〜１］
本出願に係る便座昇降レバーを使用することにより、便座の昇降操作を衛生的かつ簡便にすることができる。
【００１０】
［発明の効果〜２］
特許第４２４７９２６号に係る発明である便座昇降レバーを取り付けることが困難な規格の便座クッションと便座クッション固定孔を備えた便座のみならず、特許第４２４７９２６号に係る発明である便座昇降レバーを取り付けることが可能な規格の便座クッションと便座クッション固定孔を備えた便座についても、便座昇降レバーを取り付けることを可能としたことである。
【００１１】
［発明の効果〜３］
便座昇降レバーを、便座裏面に簡便且つ強固に固定することができる。
【００１２】
［発明の効果〜４］
便座の外側に延伸したレバー部を操作することにより、便座の昇降操作を衛生的かつ簡便にすることができる。
【課題を解決するための手段】
【００１３】
本出願に係る発明における課題を解決するための手段は、以下に記述する「請求項１」に記載したとおりである。
特許第４２４７９２６号に係る発明である便座昇降レバーを取り付ける場合には、市販の一般的な一体型便座クッションを使用しているのとは対照的に、本願発明の便座昇降レバーを取り付ける場合には、本願発明独自のファスニングループ（Ｒ）を使用して便座クッションを締め付けることにより固定することが特徴である（図１６〜図１７）。
【００１４】
［請求項１］
ファスニングループ（Ｒ）を一つ有し、ファスニングループ（Ｒ）をメスとして、便座クッション固定根本（Ｎ１）をオスとして、メスをオスに締め付けることにより、便座裏面に強固に固定する機能を具備し、便座の外側に延伸したレバー部（Ｈ）を操作することにより、簡便に便座の昇降を可能とする機能を具備する便座昇降レバーであって、
前記ファスニングループ（Ｒ）を規定するパラメーターである、
Ｌ（ファスニングループの全長）、
Ｌ１（ファスニングループがファスニングをすることが可能な最大長）、
Ｌ０（便座クッションの外周長）、
Ｔ（ファスニングループの厚さ）、
Ｗ（ファスニングループの幅）、
Ｅ０（便座クッション締め付け時に相当するファスニングループの平均直径）、
が、
１２０ミリメートル≦Ｌ０≦１７０ミリメートル
１０ミリメートル≦Ｌ１−Ｌ０、
１０ミリメートル≦Ｌ−Ｌ１
Ｌ≦２５０ミリメートル、
５ミリメートル≦Ｗ≦１０ミリメートル、
１ミリメートル≦Ｗ≦５ミリメートル、
Ｅ０ ＝ Ｌ０ ÷ π、
で規定され、
前記便座レバー部（Ｈ）を規定するパラメーターである、
ＨＷ（レバー部の幅）、
ＨＴ（レバー部の厚み）、及び、
ＨＬ（レバー部の全長）
が、
２０ミリメートル≦ＨＷ≦１００ミリメートル、
１ミリメートル≦ＨＴ≦４ミリメートル、及び、
７０ミリメートル≦ＨＬ≦１２０ミリメートル
であることを特徴とする便座昇降レバー。
【００１５】
［用語］
本出願に係る「特許請求の範囲」、「明細書」、及び、「図面」において用いる「便座クッション」、「便座クッション固定用孔」、「便座クッション固定根本（Ｎ１）」、及び、「便座クッション凸部（Ｎ２）」、「ファスニングループ（Ｒ）」なる用語の概念について、図１〜図４に図解した。
【００１６】
［レバー部分（Ｈ）］
本願発明に係る「便座昇降レバー」とは、図８〜図１４に示すように、ファスニングループ（Ｒ）を一つ有し、ファスニングループ（Ｒ）をメスとして、便座クッション固定根本（Ｎ１）をオスとして、メスでオスを締め付けることにより、便座裏面に強固に固定する機能を具備する部分である。
【００１７】
［ファスニングループ（Ｒ）部分］
本願発明に係る「ファスニングループ（Ｒ）部分」とは、図８〜図１４に示すように、便座クッション固定根本（Ｎ１）、及び／又は、便座クッション凸部（Ｎ２）を締め付けることにより、レバー部（Ｈ）をしっかりと固定し、脱落を防止する機能を具備する、便座クッションを締め付けるための輪を意味する。
通常、ファスニングループ（Ｒ）部分は、具体的には、ロックタイ、面ファスナー、平ゴムひも等で形成する。
【００１８】
［ファスニングロック（ＬＫ）］
本願発明において、「ファスニングロック」とは、ファスニングループ（Ｒ）を締め付けたときに、ループが緩まないようにロックする機能を具備する部材を意味する。
具体的には、ロックタイの場合には爪とノッチを噛み合わせて緩みを防止し、面ファスナーの場合にはオス面とメス面を接触させて両者の摩擦又は絡み合いで緩みを防止し、平ゴムひもの場合には金属等の輪でひもを折り返して、輪と平ゴムとの摩擦等によって緩みを防止する。
【００１９】
［クッション（Ｃ）］
本願発明において、「ファスニングロック」とは、ファスニングループと便座クッションとの間の滑りを防止するための機能を有する弾性及び／又は摩擦性を具備した部材を意味する。
具体的には、スポンジテープ、ゴミテープ、平ゴムひも等を利用する。
【発明を実施するための最良の形態】
【００２０】
本出願に係る発明における最良の形態を、実施例１〜実施例１に示した。
【実施例１】
【００２１】
本出願に係る発明における好ましい態様のうちの一つ（ファスニングループ（Ｒ）としてロックタイを利用した態様）を図８〜図９に図解した。
【実施例２】
【００２２】
本出願に係る発明における好ましい態様のうちの一つ（ファスニングループ（Ｒ）として面ファスナーを利用した態様）を図１０〜図１１に図解した。
【実施例３】
【００２３】
本出願に係る発明における好ましい態様のうちの一つ（ファスニングループ（Ｒ）として平ゴムひもを利用した態様）を図１２〜図１４に図解した。
【００２４】
［取付方法］
本出願に係る便座昇降レバーの便座クッションへの取り付け方法を、図１６〜図１７に図解した。
【００２５】
［使用状態］
本出願に係る便座昇降レバーの使用状態を、図１８に図解した。
【００２６】
［使用手順］
本出願に係る便座昇降レバーの使用手順を、図１９に図解した。
【００２７】
［デザインのバリエーション］
本願発明に係る便座昇降レバーのデザインのバリエーション具体例を、図２０に図解した。
【００２８】
［便座昇降レバーの全長（Ｎ）］
本願発明に係る便座昇降レバーの全長（Ｎ）の好ましい態様を、図２１に図解した。
【図面の簡単な説明】
【００２９】
【図１】便座側の便座クッション固定孔に固定された状態の便座クッションの外観。
【図２】便座クッション固定用孔、便座クッション、便座クッション固定根本（Ｎ１）、及び、便座クッション凸部（Ｎ２）の外観。
【図３】便座クッション及び便座クッション固定用孔周囲の部材の名称(側面断面図)。
【図４】便座クッションの側面図、便座クッションとファスニングループの外観。
【図５】本願発明に係る便座昇降レバーのファスニングループ（Ｒ）の部分を規定するパラメーター。
【図６】本願発明に係る便座昇降レバーのファスニングループ（Ｒ）の部分を規定するパラメーター（（株）ナスデンの販売に係るロックタイのカタログデータ）。
【図７】本願発明に係る便座昇降レバーのレバー部（Ｈ）を規定するパラメーター。
【図８】実施例１における便座昇降レバーのファスニングループ（Ｒ）の構造（ロックタイを利用した態様）。
【図９】実施例１における便座昇降レバーのファスニングループ（Ｒ）と便座クッションを対比した外観。
【図１０】実施例２における便座昇降レバーのファスニングループ（Ｒ）の構造（面ファスナーを利用した態様）。
【図１１】実施例２における便座昇降レバーのファスニングループ（Ｒ）と便座クッションを対比した外観。
【図１２】実施例３における便座昇降レバーのファスニングループ（Ｒ）の構造（平ゴムひもを利用した態様）。
【図１３】実施例３における便座昇降レバーのファスニングループ（Ｒ）と便座クッションを対比した外観。
【図１４】実施例３における便座昇降レバーのファスニングループ（Ｒ）の形成前（Ａ）と形成後（Ｂ）を対比した外観。
【図１５】本願発明に係る便座昇降レバーのファスニングループ（Ｒ）の便座クッションへの取付。(Ａ)便座昇降レバー装着／ファスニングループ（Ｒ）未装着の状態の側面断面図。(Ｂ)便座昇降レバー装着／ファスニングループ（Ｒ）装着の状態の側面断面図。
【図１６】実施例１に示した好ましい態様（ロックタイを利用した態様）の取り付け手順。［取付手順０］便座昇降レバーを取り付けるための便座クッションの外観。［取付手順１］  便座クッションの凸部に、便座昇降レバーのファスニングループ（Ｒ）を嵌め込む。
【図１７】［取付手順２］便座昇降レバーのファスニングループ（Ｒ）を、便座クッションの凸部に嵌入し、さらに、便座クッションを取り付けた根本である、便座クッション固定根本に、しっかりと締め付けることにより、便座昇降レバーをしっかりと固定する。［取付手順３］  便座昇降レバーのファスニングループ（Ｒ）を、便座クッション固定根本にしっかりと締め付けて、固定を完了した状態である。
【図１８】［使用状態１］便座昇降レバーを取り付ける前の状態。［使用状態１］［昇状態(上げた状態)］便座の裏側にしっかりと固定した便座昇降レバーを用いて、便座を上げた状態。［使用状態２］［降状態(降ろした状態)］便座の裏側にしっかりと固定した便座昇降レバーを用いて、便座を下げた状態。
【図１９】［使用手順１］  降ろした状態の便座に取り付けられた便座昇降レバーを持つ。［使用手順２］  便座に取り付けられた便座昇降レバーを持ち上げることによって、便座を上げる。［使用手順３］  便座に取り付けられた便座昇降レバーを持ち上げることによって、完全に便座を上げた状態にする。
【図２０】便座昇降レバーのデザインのバリエーション具体例。（Ａ）実施例３（平ゴムひもを利用したバリエーション）（Ｂ）実施例２（面ファスナーを利用したバリエーション）（Ｃ）実施例１（ロックタイを利用したバリエーション）（Ｄ）実施例１（ロックタイを利用したバリエーション）（Ｅ）実施例１（ロックタイを利用したバリエーション）      取手（Ｈ）部分をファスニングループ部分から脱着自在とした態様。
【図２１】便座昇降レバーの全長（Ｎ）の好ましい態様。
【符号の説明】
【００３０】
Ｒ；ファスニングループ（締付輪）
Ｈ；レバー部（取手（ハンドル））
ＬＫ；ファスニングロック
Ｃ；クッション
Ｎ１；便座クッション固定根本
Ｎ２；便座クッション凸部
Ｌ；ファスニングループの全長（単位ミリメートル）
Ｌ１；ファスニングループがファスニングをすることが可能な最大長
（単位ミリメートル）
Ｌ０；便座クッションの外周長（単位ミリメートル）
Ｔ；ファスニングループの厚さ（単位ミリメートル）
Ｗ；ファスニングループの幅（単位ミリメートル）
Ｅ；ファスニング時（締め付け時）のファスニングループの
平均直径（単位ミリメートル）
Ｅ０；便座クッションファスニング時（締め付け時）
に相当するファスニングループの平均直径（単位ミリメートル）
Ｅ０ ＝ Ｌ０ ÷ π
π；円周率 （ ≒３.１４ ）
ＨＷ；レバー部の幅
ＨＴ；レバー部の厚み
ＨＬ；レバー部の全長
【図１】
2010220725.tif 000003
【図２】
2010220725.tif 000004
【図３】
2010220725.tif 000005
【図４】
2010220725.tif 000006
【図５】
2010220725.tif 000007
【図６】
2010220725.tif 000008
【図７】
2010220725.tif 000009
【図８】
2010220725.tif 000010
【図９】
2010220725.tif 000011
【図１０】
2010220725.tif 000012
【図１１】
2010220725.tif 000013
【図１２】
2010220725.tif 000014
【図１３】
2010220725.tif 000015
【図１４】
2010220725.tif 000016
【図１５】
2010220725.tif 000017
【図１６】
2010220725.tif 000018
【図１７】
2010220725.tif 000019
【図１８】
2010220725.tif 000020
【図１９】
2010220725.tif 000021
【図２０】
2010220725.tif 000022
【図２１】
2010220725.tif 000023